(57)【要約】【課題】  取手を支持した胴部カバーを利用して、外力による変形を受けにくく、かつ、お手入れ性のよい低コストなものとする。【解決手段】  ステンレス製で断熱構造を有したボトル本体１と、このボトル本体１の外面を覆う樹脂製の胴部カバー２と、この胴部カバー２に起伏できるように支持された取手３とを備え、取手３を支持した胴部カバー２１と、取手３を支持していない胴部カバー２２とをボトル本体１の周方向に配し、これら胴部カバー２１、２２をボトル本体１の底部１ｄと、胴部１ｅの上部、肩部１ｆまたはおよび口部１ｇと、のまわりに装着した周方向に連続する樹脂製の上下外装部材２３、２４間にそれぞれ支持し、胴部カバー２１、２２間のボトル本体１表面を露出させたものとすることにより、上記の目的を達成する。【選択図】  図５
2005192593.tif 000002
【特許請求の範囲】
【請求項１】
ステンレス製で断熱構造を有したボトル本体と、このボトル本体の外面を覆う樹脂製の胴部カバーと、この胴部カバーに起伏できるように支持された取手とを備えた携帯用のステンレスボトルであって、
取手を支持した胴部カバーと、取手を支持していない胴部カバーとをボトル本体の周方向に配し、これら胴部カバーをボトル本体の底部と、胴上部、肩部またはおよび口部と、のまわりに装着した周方向に連続する樹脂製の上下外装部材間にそれぞれ支持し、胴部カバー間のボトル本体表面を露出させたことを特徴とするステンレスボトル。
【請求項２】
ステンレス製で断熱構造を有したボトル本体と、このボトル本体の外面を覆う樹脂製の胴部カバーと、この胴部カバーに起伏できるように支持された取手とを備えた携帯用のステンレスボトルであって、
取手を支持した胴部カバーと、取手を支持していない胴部カバーとをボトル本体の相対向する２ヶ所に配し、これら胴部カバーをボトル本体の底部と、胴上部、肩部またはおよび口部と、のまわりに装着した周方向に連続する樹脂製の上下外装部材間にそれぞれ支持し、胴部カバー間のボトル本体表面は露出させたことを特徴とする携帯用のステンレスボトル。
【請求項３】
ボトル本体の周方向における、取手を支持した胴部カバーと、取手を支持していない胴部カバーとの間の各位置に、吊紐の連結部を設けてある請求項２に記載の携帯用のステンレスボトル。
【請求項４】
吊紐の各連結部はボトル本体の相対向する２ヶ所に位置し、これらの対向方向は、取手を支持した胴部カバーと取手を支持していない胴部カバーとの対向方向と、平面より見てほぼ直交している請求項３に記載の携帯用のステンレスボトル。
【請求項５】
取手を支持した胴部カバーは、一対の取手の両脚端部を隣接位置にて枢支して、互いの両脚間にある把持部が寄せ合わされるように起立する把持位置と、互いの把持部が離れ合ってボトル本体の外面に達するように伏倒した格納位置との間で起伏できるようにするのに併せ、格納位置にある一対の把持部間に嵌まり合う形状を有している請求項１〜４のいずれか１項に記載の携帯用のステンレスボトル。
【請求項６】
取手を支持した胴部カバーの厚みは、取手を支持していない胴部カバーの厚みよりも大きい請求項１〜５のいずれか１項に記載の携帯用のステンレスボトル。
【発明の詳細な説明】
【技術分野】
【０００１】
本発明はステンレス製で断熱構造を有したボトル本体を備えて、飲料類を保温、保冷しながら携行するのに適した携帯用のステンレスボトルに関するものである。
【背景技術】
【０００２】
このような携帯用のステンレスボトルは、ボトル本体に吊紐を連結して肩に掛けて携行することが行われている（例えば、特許文献１参照。）。また、ボトル本体にその外面に沿う格納位置と、前記外面から離れるように引き出した把持位置との間で可動に設けられた取手を把持して携行したり、取り扱うことも行われている（例えば、特許文献２参照。）。さらに、両脚の端部を枢支して起伏できるように設けられた取手を把持して携行したり、取り扱うことも行われている（例えば、特許文献３参照。）。特許文献３に記載のものは、吊紐の連結部を有していて肩に掛けて携行することもできる。
【特許文献１】特開２０００−０１４４４６号公報
【特許文献２】特開平１１−２６３３４７号公報
【特許文献３】特開２０００−０８３８４０号公報
【発明の開示】
【発明が解決しようとする課題】
【０００３】
しかし、特許文献１に記載のステンレス製のボトル本体は、その肩部以下の部分が、特許文献２に記載のものは胴部分が露出したままであって、外力を受けて変形する確率が高い。特に、特許文献１に記載のものは吊紐による吊り持ち状態にて携行するのでボトル本体、特に強度の低い胴部が他の物にぶつかりやすく変形する確率がさらに高まる。ボトル本体が真空二重構造の断熱構造を有するものであると、外容器の内側への変形は外観を低下させる上に、内容器との接触を招いて断熱性が勢い低下するので即寿命に至ってしまう。特許文献３に記載のボトル本体は、取手を支持する樹脂製の胴部カバーによって胴部の全周が覆われて外力から保護されやすいので、変形されにくい。しかし、特許文献３の第４図、第５図の例、第９図の例のように胴部カバーがボトル本体の全周を覆うものとするには、胴部カバーの必要面積が大きくなるのでコスト高になるし、意匠上や保護機能上立体的な形状とする場合は特にコストがかさむ。また、ボトル本体の胴部カバーによる覆い面が多いほど、ボトル本体の外面の露出部分が減少して、丸洗い時の水抜け、水切れが悪くなるし、汚れ具合や錆びなど表面状態が判別しにくくお手入れ時期を逸しやすい。
【０００４】
本発明の目的は、取手を支持した胴部カバーと取手を支持しない胴部カバーを併用して、外力による変形を受けにくく、かつ、お手入れ性のよい低コストなステンレスボトルを提供することにある。
【課題を解決するための手段】
【０００５】
上記の目的を達成するために、本発明のステンレスボトルは、ステンレス製で断熱構造を有したボトル本体と、このボトル本体の外面を覆う樹脂製の胴部カバーと、この胴部カバーに起伏できるように支持された取手とを備えたステンレスボトルであって、取手を支持した胴部カバーと、取手を支持していない胴部カバーとをボトル本体の周方向に配し、これら胴部カバーをボトル本体の底部と、胴上部、肩部またはおよび口部と、のまわりに装着した周方向に連続する樹脂製の上下外装部材間にそれぞれ支持し、胴部カバー間のボトル本体表面を露出させたことを１つの特徴としている。
【０００６】
このような構成では、ボトル本体がステンレス製で断熱構造を有したものであることにより、美麗で腐食しにくい金属表面を持ちながら、比較的熱伝導性が低いことにより断熱構造の如何を問わず断熱機能に好適である。一方、軽量化、低コスト化の面からステンレス壁の肉厚を極力抑えるのが有利であるが、変形剛性が低下し胴部まわりは特に変形しやすく不体裁になったり断熱性を損なったりすることがあるものの、ボルト本体のまわりには、取手を支持した樹脂製の胴部カバーと、取手を支持していない樹脂製の胴部カバーとが周方向に配され、これらの上下には周方向に連続して前記胴部カバーを支持する樹脂製の上下外装部材が配されて、ボトル本体の胴部を重量化の問題なく格子状に覆うことができ、取手を支持した胴部カバー１つが配されるだけの場合のような胴部まわりでの意匠上の、ガード上のアンバランスを解消して、商品価値を高めるのに併せ、携行持や取り扱い時にボトル本体が他の物に当って変形するような確率を低減することができる。しかも、取手を支持する胴部カバーがボトル本体の胴部全周を覆う場合に比し、意匠上や保護機能上立体的な形状を付与する場合を含めコストが低減するし、ボトル本体の胴部が周方向に分散して露出するので丸洗い時の水抜けや水切れがよいし、ボトル本体の表面状態、例えば汚れ具合や錆び具合、お手入れ時期などをむらなく容易に見定めることができる。
【０００７】
本発明のステンレスボトルは、また、ステンレス製で断熱構造を有したボトル本体と、このボトル本体の外面を覆う樹脂製の胴部カバーと、この胴部カバーに起伏できるように支持された取手とを備えた携帯用のステンレスボトルであって、取手を支持した胴部カバーと、取手を支持していない胴部カバーとをボトル本体の相対向する２ヶ所に配し、これら胴部カバーをボトル本体の底部と、胴上部、肩部またはおよび口部と、のまわりに装着した周方向に連続する樹脂製の上下外装部材間にそれぞれ支持し、胴部カバー間のボトル本体表面は露出させたことを他の特徴としている。
【０００８】
このような構成では、前記１つの特徴の場合に加え、さらに、ボトル本体の胴部まわりには取手を支持した樹脂製の胴部カバーと、取手を支持していない樹脂製の胴部カバーとを相対向する２ヶ所に配する最少カバー数に限定して、その分コストを抑えながらも、取手を支持した胴部カバーと、取手を支持していない胴部カバーとの１つずつが、上下外装部材とともにボトル本体の胴部を格子状に覆って、取手を支持した胴部カバー１つが配されるだけの場合のような胴部まわりでの意匠上の、ガード上のアンバランスを解消して、商品価値を高めながら携行持や取り扱い時にボトル本体が他の物に当って変形するような確率を低減することを実現する。
【０００９】
しかし、これには、前記１つの特徴の場合を含め、ボトル本体の胴部外面が隣接し合う胴部カバーの各対向縁の最外面どうしを結ぶ線以内に位置する条件を満足した構成とするのが好適である。この条件を満足するには胴部カバー数が２つと少ない程、胴部カバーの幅が大きくなる。この幅は胴部カバーの全長において満足するに越したことはないが、部分的に満足してもよい。
【００１０】
ボトル本体の周方向における、前記相対向して配された取手を支持した胴部カバーと、取手を支持していない胴部カバーとの間の各位置に、吊紐の連結部を設けてある、さらなる構成では、
連結部に連結した吊紐を肩に掛けたり、手でぶら下げたりしてボトル本体を携行するのに、ボトル本体は縦吊りとなるので変形しやすい胴部が落下面となるようなことを回避しやすいし、連結部が人体に対して前後に位置する向きとなり、これら前後の連結部間の人体側と反人体側とに２つの胴部カバーが分散して位置する関係を満足し、吊り持ち時に生じやすいボトル本体の胴部に人体が当ったり、側方から他のものが当ったりするのを防止することができ、吊り持ち時の保護機能が向上する。
【００１１】
この場合、吊紐の各連結部はボトル本体の相対向する２ヶ所に位置し、これらの対向方向が、取手を支持した胴部カバーと取手を支持していない胴部カバーとの対向方向と、平面より見てほぼ直交している、さらなる構成では、
２つの胴部カバーが人体側と反人体側により正対する状態になるので、吊り持ち時の保護機能がより向上する。
【００１２】
なお、連結部がボトル本体の胴部外面よりも外方に突出する、さらなる構成とすれば、胴部カバーのない位置にて他の物が接触してくるような場合に、連結部が先に当接することによって、他の物がボトル本体の胴部に当るのを防止することができるので、吊り持ち時は勿論、他の取り扱い時も含め保護機能がさらに向上する。
【００１３】
取手を支持した胴部カバーが、一対の取手の両脚端部を隣接位置にて枢支して、互いの両脚間にある把持部が寄せ合わされるように起立する把持位置と、互いの把持部が離れ合ってボトル本体の外面に達するように伏倒した格納位置との間で起伏できるようにするのに併せ、格納位置にある一対の把持部間に嵌まり合う形状を有している、さらなる構成では、
一対の取手とこれを支持する胴部カバーとの重なりなしに取手を胴部カバーの両側のボトル本体の胴部外面に接する格納位置にまで伏倒させられるので、取手および胴部カバーが重なり合う格納状態の場合に比しボトル本体の胴部まわりにかさ低く収まる。しかも、一対の取手は脚部の長さに応じて把持部を把持しやすい胴部カバー上の把持位置にまで起き上がって寄せ合わされるので取手を把持しての取り扱いを容易にする。また、格納した一対の取手の把持部間は脚部の長さに応じて離れるが、取手を支持している胴部カバーが格納位置にある一対の把持部間に嵌まり合う形状を有していることにより、取手およびそれを支持する胴部カバーどうしは一体感よく納まるし、互いに協働してボトル本体のガード部を構成することができる。
【００１４】
取手を支持した胴部カバーの厚みは、取手を支持していない胴部カバーの厚みよりも大きい、さらなる構成では、
取手を支持した胴部カバーは取手との一体感、あるいは格納位置の取手よりも厚くして取手が他の物に当ることから確保しながら、取手を支持していない胴部カバーはそのような制約から解放して、ボトル本体の保護機能を確保できる程度の厚みに抑えることで、徒に厚くなるような無駄を回避することができる。
【００１５】
本発明のそれ以上の目的および特徴は、以下の詳細な説明および図面の記載によって明らかになる。本発明の特徴は、それ単独で、あるいは可能な限り種々な組合せで複合して採用することができる。
【発明の効果】
【００１６】
本発明のステンレスボトルの１つの特徴によれば、ステンレス製で断熱構造を有したボトル本体を、取手を支持した樹脂製の胴部カバーと、取手を支持していない樹脂製の胴部カバーとが樹脂製の上下外装部材とともに格子状に覆って胴部まわりでの意匠上の、ガード上のアンバランスを解消し、商品価値を高めながら携行持や取り扱い時にボトル本体が他の物に当って変形するような確率を低減することができる。しかも、ボトル本体の胴部全周を覆う場合に比しコストが低減するし、ボトル本体の周方向に分散した露出部にて表面状態を容易に判断できるのでお手入れに便利で清潔に保ちやすい。
【００１７】
本発明のステンレスボトルの他の特徴によれば、１つの特徴の場合に加え、さらに、取手を支持した胴部カバーと、取手を支持していない胴部カバーとを相対向する２ヶ所に配する最少カバー数に限定してコストを抑えながらも、それら１つずつの胴部カバーが、上下外装部材とともにボトル本体を格子状に覆って、意匠上の、ガード上のアンバランスを解消することを実現する。
【００１８】
ボトル本体の周方向における、前記相対向して配された取手を支持した胴部カバーと、取手を支持していない胴部カバーとの間の各位置に、吊紐の連結部を設けてある、さらなる構成によれば、
連結部に吊紐を連結して肩に掛け、あるいは手でぶら下げてボトル本体を携行するのに、縦吊りに限定して弱い胴部が落下面となるのを回避しやすくしながら、２つの胴部カバーが人体側と反人体側とに位置する向きになることを保証し、吊り持ち時に生じやすいボトル本体の胴部に人体が当ったり、側方から他のものが当ったりするのを防止することができ、吊り持ち時の保護機能が向上する。
【００１９】
吊紐の各連結部はボトル本体の相対向する２ヶ所に位置し、これらの対向方向は、取手を支持した胴部カバーと取手を支持していない胴部カバーとの対向方向と、平面より見てほぼ直交している、さらなる構成によれば、
２つの胴部カバーが人体側と反人体側により正対する状態になることを保証するので、吊り持ち時の保護機能がより向上する。
【００２０】
取手を支持した胴部カバーが、一対の取手の両脚端部を隣接位置にて枢支して、互いの両脚間にある把持部が寄せ合わされるように起立する把持位置と、互いの把持部が離れ合ってボトル本体の外面に達するように伏倒した格納位置との間で起伏できるようにするのに併せ、格納位置にある一対の把持部間に嵌まり合う形状を有している、さらなる構成によれば、
一対の取手を、これを支持する胴部カバーと重ならない格納位置にまで伏倒させられ、取手および胴部カバーが重なり合う格納状態に比しかさ低く収まる。しかも、一対の取手は脚部の長さにて把持しやすい胴部カバー上の把持位置にまで起き上がらせて把持し易くすることができる。また、取手を支持している胴部カバーが格納位置にある一対の把持部間に嵌まり合う形状を有していて、それらが一体感よく納まるし互いが協働してボトル本体のガード部を構成することができる。
【００２１】
取手を支持した胴部カバーの厚みが、取手を支持していない胴部カバーの厚みよりも大きい、さらなる構成によれば、
取手を支持した胴部カバーは十分な厚みで取手との一体感、あるいは格納位置の取手に対する保護機能を確保しながら、取手を支持していない胴部カバーが徒に厚くなるような無駄を回避することができる。
【発明を実施するための最良の形態】
【００２２】
以下、本発明の実施の形態に係るステンレスボトルについて図１〜図１３を参照しながら説明し、本発明の理解に供する。しかし、以下の説明は本発明の具体例であって、特許請求の範囲の記載の内容を限定するものではない。
【００２３】
本実施の形態のステンレスボトルは、図１〜図６に示すように、少なくとも外壁１ａがステンレス製で断熱構造を有したボトル本体１と、このボトル本体１の外面を覆う樹脂製の胴部カバー２と、この胴部カバー２に起伏できるように支持された取手３とを備えたステンレスボトルであり、ボトル本体１は図４、図５、図７に示すようにステンレスどうしの外壁１ａと内壁１ｂとの間を真空断熱空間１ｃとした断熱構造としてあるが、これに限られることはなく、内壁１ｂを他の金属材料や非金属材料としたり、内外壁１ａ、１ｂ間を断熱材料を充填した断熱構造としたものや、断熱材料を充填して真空空間としたものなど種々な断熱構造を採用することができる。本実施の形態のステンレスボトルは、特に、図１、図４、図５に示すように、取手３を支持した胴部カバー２１と、取手３を支持していない胴部カバー２２とをボトル本体１の周方向に複合してた胴部カバー２として個別に配してある。また、これら胴部カバー２１、２２は、ボトル本体１の底部１ｄと、胴部１ｅの上部、肩部１ｆまたはおよび口部１ｇと、のまわりに装着した周方向に連続する樹脂製の上下外装部材２３、２４間にそれぞれ支持し、胴部カバー２１、２２間のボトル本体１の外壁１ａ表面を図１〜３、図５、図６に示すように露出させている。このような条件を満足する基本的な構成としては、取手３を支持していない胴部カバー２２は複数あってもよい。また、上下外装部材２３、２４は胴部カバー２１、２２を支持できるようにボトル本体１の上下のまわり、ないしは周方向に連続して外装されればよい。
【００２４】
図示する例の上外装部材２３は環状で、ボトル本体１の肩部１ｆから口部１ｇの口縁の内回りまで連続して覆い、内外壁１ａ、１ｂの接合縁１ｈが露出しないようにしている。上外装部材２３は、接合縁１ｈの内まわりに被さっている部分に栓２５を着脱できるように装着するねじ部２６を形成し、外まわりには樹脂製のキャップ２７を着脱できる用に装着するねじ部２８を形成し、栓２５やキャップ２７を装着させるためのねじがボトル本体１の側で不要となるようにしている。また、上外装部材２３自体もボトル本体１の口部１ｇの外まわりに溶接付けした斜め下向きの舌片状などとした係止部２９に対し係合部３１を弾性係合ないしは無理嵌めして装着し、ボトル本体１の側のねじを不要としている。一方、下外装部材２４は、椀状に形成してボトル本体１底部の下面および側面まわりを覆うようにしてあり、外壁１ａの下部まわりにリブ状に一体形成した係止部３２に対し、係合部３３を弾性係合ないしは無理嵌めして装着し、ボトル本体１側のねじを不要としている。これらによって、ボトル本体１はねじ部が一切不要な単純形状のものとなり、加工および組み立て双方から生産性のよいものとなる。これら上下外装部材２３、２４はボトル本体１の口部１ｇまわりや底部１ｄまわりを装飾し、また保護することができるし、他の付帯物の取り付けや機能上必要な形状を金属製のボトル本体１に変わって容易かつ安価に得られる。特に、ボトル本体１の底部側面まわりおよび下面まわりを覆う椀状の下外装部材２４は、前記縦吊りとなるボトル本体１の落下面となる底面ないしは下面まわりを保護できる利点がある。
【００２５】
また、このような上下外装部材２３、２４の装着方式を利用して、上下外装部材２３、２４をボトル本体１に対し上下から軸線方向に嵌め合せて装着する際に、胴部カバー２１、２２の上下の端部と軸線方向に嵌まり合うことによってそれらをボトル本体１の外面、特に、胴部１ｅまわりに沿うように支持するようにしている。このために、胴部カバー２１、２２は、それぞれの上下端部の周方向中央部に軸線方向に突出して上下外装部材２３、２４と嵌まり合う係合部３４、３５を有している。これによって、上下外装部材２３、２４の装着と同時に胴部カバー２１、２２が装着状態に支持され得る。しかし、上下外装部材２３、２４の装着方式、着脱可能の有無、これら上下外装部材２３、２４による胴部カバー２１、２２の支持方式のいずれも、各種の具体的構造を採用してもよいのは勿論である。
【００２６】
以上のように、ボトル本体１がステンレス製で断熱構造を有したものであると、美麗で腐食しにくい金属表面を持ちながら、比較的熱伝導性が低いことにより断熱構造の如何を問わず断熱機能に好適である。一方、軽量化、低コスト化の面からステンレス壁、つまり外壁１ａの肉厚を極力抑えるのが有利であるが、変形剛性が低下し胴部まわりは特に変形しやすく不体裁になったり、真空断熱空間１ｃを有するものでは外壁１ａが内壁１ｂに接触して断熱性を損なったりすることがあるものの、ボルト本体１のまわりに、取手３を支持した胴部カバー２１と、取手を支持していない胴部カバー２２とが周方向に配され、これらの上下には周方向に連続して前記胴部カバー２１、２２を支持する樹脂製の上下外装部材２３、２４が配されて、ボトル本体１の胴部１ｅを重量化の問題なく格子状に覆うことができる。この結果、取手３を支持した胴部カバー１つが配されるだけの場合のような胴部１ｅまわりでの意匠上の、ガード上のアンバランスが解消し、商品価値を高めるのに併せ、吊り持っての携行時や、各種の取り扱い時にボトル本体１、特に、弱い胴部１ｅが他の物に当って変形するような確率を低減することができる。しかも、取手３を支持する胴部カバー２１がボトル本体１の胴部１ｅ全周を覆う場合に比し、意匠上、保護機能上立体的な形状とする場合を含めコストが低減するし、ボトル本体１の胴部１ｅが胴部カバー２１、２２の数に応じ図１〜図３、図５に示すように周方向に分散して露出するので、丸洗い時などでの水抜けや水切りに有利であるし、ボトル本体１の表面状態、例えば汚れ具合や錆び具合、お手入れ時期などをむらなく容易に見定めることができ、お手入れに便利で清潔に保ちやすい。
【００２７】
図示する例では、また、取手３を支持した胴部カバー２１と、取手３を支持していない胴部カバー２２との１つずつを、ボトル本体１の相対向する２ヶ所に配して、最少カバー数に限定し、その分コストを抑えられるようにしながらも、取手３を支持した胴部カバー２１と、取手３を支持していない胴部カバー２２との１つずつが、上下外装部材２３、２４とともにボトル本体１の胴部１ｅを格子状に覆って、取手を支持した胴部カバー１つが配されるだけの場合のような胴部まわりでの意匠上の、ガード上のアンバランスを解消することを実現する。
【００２８】
ところで、胴部カバー２１、２２によりボトル本体１の、特に胴部１ｅを保護するのに、胴部カバー２２を設ける数には関係なく、ボトル本体１の胴部１ｅの外面が図５（ａ）に実線で示すように隣接し合う胴部カバー２１、２２の各対向縁部２１ａ、２２ａの最外面どうしを結ぶ線４１よりも外にあると、他の物が胴部１ｅに当るのを防止しきれない。そこで、ボトル本体１の胴部１ｅの外面が図５（ａ）に仮想線で示すように隣接し合う胴部カバー２１、２２の各対向縁２１ａ、２２ａの最外面どうしを結ぶ線４２以内に位置する条件を満足した構成とするのが好適である。この条件を満足するには胴部カバー数が最少の２つに近づく程、胴部カバー２１、２２の幅、つまり総合幅が大きくなる。この幅は胴部カバー２１、２２の全長において満足するに越したことはないが、凹または凸の縁形状、あるいは凹凸が連続した縁形状にて部分的に満足してもよい。当然のことながら、満足個所が多いほど保護機能が高くなる。なお、ボトル本体１の周方向の露出幅は、ボトル本体１の径や胴部カバー２１、２２の厚み設定、特に対向縁部２１ａ、２２ａの厚みによって異なるものの、図示する場合でいうと平面より見た露出角度範囲は７０〜１１０°程度が、コスト面および保護機能の両面から好ましい範囲といえる。
【００２９】
また、図１〜図３、図５（ａ）、図６に示すように、ボトル本体１の周方向における、前記相対向して配された取手３を支持した胴部カバー２１と、取手３を支持していない１つの胴部カバー２２との間の各位置に、吊紐の連結部６１を設けてある。このようにすると、連結部６１に連結した吊紐を肩に掛けたり、手でぶら下げたりしてボトル本体１を携行するのに、ボトル本体１は連結部６１が人体に対して前後に位置する向きとなり、これら前後の連結部６１間の人体側と反人体側とに２つの胴部カバー２１、２２が分散して位置する関係を満足する。この結果、吊り持ち時に生じやすいボトル本体１の胴部１ｅに人体が当ったり、側方から他のものが当ったりするのを防止することができ、吊り持ち時の保護機能が向上する。この場合、図５（ａ）に示すように吊紐の各連結部６１がボトル本体１のＸ−Ｘ方向に相対向する２ヶ所に位置し、このＸ−Ｘ方向が、取手３を支持した胴部カバー２１と取手３を支持していない１つの胴部カバー２２との対向方向であるＹ−Ｙ方向と、平面より見てほぼ直交するようにしている。この結果、２つの胴部カバー２１、２２が人体側と反人体側により正対する状態になるので、吊り持ち時の保護機能がより向上する。
【００３０】
また、連結部６１が図１、図３、図５、図６に示すようにボトル本体１の胴部１ｅ外面よりも外方に突出する構成としてあることにより、胴部カバー２１、２２のない周方向位置にて胴部１ｅ外へ張り出し、他の物が露出している胴部１ｅに接触してくるような場合でも、連結部６１が先に当接することによって、他の物がボトル本体１の胴部１ｅに当接するのを防止することができる。これにより、吊り持ち時は勿論、他の取り扱い時も含め保護機能がさらに向上する。本例の連結部６１はボトル本体１を縦吊りする関係から、その安定性上、ボトル本体１の上側に設けるのが好適であり、図６に示すように上外装部材２３に一体成形した頭部６１ａ付きのピンとしてある。これにより、ボトル本体１が万一にも頭部を下にして落下するようなことがあると、頭部を下にして落下した後ボトル本体１が胴部が接地する安定姿勢への横転時に胴部が地面や床面に当接して変形するようなことを防止しやすい。
【００３１】
吊紐を前記連結部６１に連結する図１、図３、図５、図６、図１０に示す連結具６２は、１つの例として樹脂製で、図示しない吊紐との連結を行うスリット状の連結穴６２ｂと、連結部６１との連結を行う瓢箪型をした連結穴６２ａとを有している。連結穴６２ａは図１０に示すように連結部６１の頭部６１ａと着脱できるように嵌まり合える径を有した着脱部６２ａ１と、頭部６１ａよりも径が小さくそれと嵌まり合わず、連結部６１のピン部６１ｂと嵌まり合って連結状態になる連結部６２ａ２とが、連結部６２ａ２の径よりも少し小さい幅の狭隘部をなした外れ止め部６２ａ３を介して連続するようにしてある。連結具６２の連結部６１との連結は、連結穴６２ａの着脱部６２ａ１を連結部６１の頭部６１ａに嵌め合わせた後、外れ止め部６２ａ３を連結部６１のピン部６１ｂに対して反対側へ弾性的に乗り越えさせて、連結穴６２ａの連結部６２ａ２を連結部６１の頭部６１ａの下に潜らせてピン部６１ｂに係合させることにより、連結部６２ａ２が頭部６１ａと対向し合って抜け止めされる連結状態となり、外れ止め部６２ａ３とピン部６１ｂとの係合によって連結部６２ａ２が着脱部６２ａ１側に不用意に外れるのを防止されて前記連結状態に安定する。連結状態にある連結具を、前記外れ止め部６２ａ３による外れ止め機能に打ち勝って、連結穴６２ａにおけるピン部６１ｂとの連結部６１ａ２での係合位置から、着脱部６２ａ１での係合位置に移動させ、着脱部６２ａ１にて頭部６１ａから外すと、前記連結を解除することができる。
【００３２】
ここで、連結部６２ａ２および外れ止め部６２ａ３は、図２、図３に示すように着脱部６２ａ１よりも厚みが小さく、かつ、外れ止め部６２ａ３側から連結部６２ａ２側に楔断面を持って増厚するようにしていて、連結具６２の連結部６１に対する着脱位置から連結位置への移動を容易にしながら、連結位置では連結部６２ａ２がピン部６１ｂとの係合状態にて頭部６１ａとピン部６１ｂの基部との間に強く入り込み、これによっても連結状態に安定しやすくしている。一方、外れ止め部６２ａ３は連結部６２ａ２よりも厚みが小さい分だけ、ピン部６１ｂが通過することによる拡張作用をより柔軟に弾性変形して対応できるようになるが、本例では、さらに、外れ止め部６２ａ３の内側に透孔６２ａ４を設けることによって、前記弾性変形がより柔軟に行われダメージを受け難くしている。この結果、連結具６２の寿命が延びる。
【００３３】
取手３を支持した胴部カバー２１は、図２、図５（ｂ）、図６に示すように、一対の取手３の両脚部３ａ端部を隣接位置にてピン７１により枢支して、互いの両脚部３ａ間の把持部３ｂが図５（ｂ）に仮想線で示すように寄せ合わされて起立する把持位置と、互いの把持部３ｂが図２、図５（ｂ）に実線で示すように離れ合ってボトル本体１の外面に図５（ｂ）に実線で示すように達するよう伏倒した格納位置との間で起伏できるようにするのに併せ、格納位置にある一対の把持部３ｂ間に図１、図２に示すように嵌まり合う形状を有したものとしている。これにより、一対の取手３は、これを支持する胴部カバー２１との重なりなしに胴部カバー２１の両側におけるボトル本体１の胴部１ｅ外面に接する格納位置にまで伏倒させられ、取手および胴部カバーが重なり合う格納状態の場合に比しボトル本体１の胴部１ｅまわりにかさ低く収まる。しかも、一対の取手３は脚部３ａの長さに応じて把持部３ｂを把持しやすい図５（ｂ）に仮想線で示すような、胴部カバー２１上の把持位置にまで起き上がって寄せ合わされる。従って、取手３を把持しての取り扱いを容易にする。また、格納した一対の取手３の把持部３ｂ間は脚部３ａの長さに応じて図２に示すように離れるが、取手３を支持している胴部カバー２１が格納位置にある一対の把持部３ｂ間に嵌まり合う形状を有していることにより、取手３およびそれを支持する胴部カバー２１どうしは、一体感よく協働してボトル本体１のガード部を構成することができる。
【００３４】
また、取手３を支持した胴部カバー２１の厚みは、図４、図５に示すように取手３を支持していない胴部カバー２２の厚みよりも大きくしてある。このようにすると、取手３を支持した胴部カバー２１は取手３との一体感、あるいは格納位置の取手３よりも図５（ｂ）に実線で示し、図１２に仮想線で示すように厚くして取手３が他の物に当ることから保護する機能を確保しながら、取手３を支持していない胴部カバー２２はそのような制約から解放して、ボトル本体１の保護機能を確保できる厚みを満足する程度の厚みにすることで、徒に厚くなるような無駄やかさ張りを回避することができる。
【００３５】
ここで、上下外装部材２３、２４に支持される胴部カバー２１、２２につき詳述する。取手３を支持している胴部カバー２１は、ボトル本体１の胴部１ｅの外面を保護する上に、取手３を把持して取り扱うときの内容液が入った重いボトル本体１側の負荷に耐えて支持され、また、取手３を支持する必要がある。そこで、図４、図７、図１０、図１１に示すような上下部増厚部間をそれらよりも減厚部とした縦断面形状と、図１２（ａ）に示すような上下端部の増厚部横断面形状、および図１２（ｂ）に示すような上下端部間での減厚部横断面形状とを有し、裏面の凹部２１ｂまわりの周壁部２１ｃにて胴部１ｅの外面に当接する。これにより、胴部カバー２１に局部的に働く外力でも周壁部２１ｃの周方向に分散して胴部１ｅに伝達するようになるので、胴部１ｅに変形を及ぼしにくい。一方、胴部カバー２１自体の強度を厚みを抑えて確保するのに図示するような幾つかの補強リブ２１ｄを主として縦通形成し、胴部１ｅに外力を伝達しないように胴部１ｅの外面との間にギャップ７２ができるようにしてある。補強リブ２１ｄは必要に応じて横断方向にも、他の方向にも、また各方向に部分的にも設けることができる。
【００３６】
また、胴部カバー２１の上下外装部材２３、２４による支持強度を高めるために、前記係合部３４は図８〜図１０に示すように、上下端部の中央部が上下に突出するように広がった連結部７３の突出端にて繋がり、周方向両側に円弧状に延びる横向き係合部３４ａと、この上下の横向き係合部３４ａの中央部から上方および下方に軸方向に延びる縦向き係合部３４ｂとを有して、縦向き係合部３４ｂが図４、図６に示すように上下の外装部材２３、２４の内側に形成した縦向きの係合穴２３ａ、２４ａに挿入することにより、縦向き係合部３４ｂまわりのどの放射状方向にも確固に支持されてボトル本体１側の負荷を受ける状態と、横向き係合部３４ａが上下の外装部材２３の周壁２３ｂと胴部１ｅとの間に嵌まり合い、ボトル本体１側の負荷を周壁２３ｂとの間で周方向に分散して受ける状態とを実現し、胴部カバー２１がそれに支持した取手３によってボトル本体１を取り扱うときに必要な支持強度が、胴部カバー２１と上下外装部材２３、２４との間の支持構造部に十分得られる。
【００３７】
このような組み立てにおいて上下外装部材２３、２４どうしは、互いの係合穴２３ａ、２４ａがボトル本体１の軸線方向に対向し合う必要がある。これには、例えば、上下外装部材２３、２４の一方をボトル本体１に先に装着して、これに、ボトル本体１に沿わせた胴部カバー２１の上下の縦向き係合部３４ｂの対応する側を嵌め合せておき、次いで、胴部カバー２１の他方の縦向き係合部３４ｂに上下外装部材２３、２４の他方を位置合わせしながらボトル本体１に装着すればよく、この位置合わせを容易にするため、上下外装部材２３、２４の後で装着する側、本例では下外装部材２４の側に図４に示すような自身の係合穴２４ａと係合させるべき胴部カバー２１の下側の縦向き係合部３４ｂとの対向関係を外部から視認させる水抜き孔兼用の透孔１８１を設けて、互いの位置関係を外部から確かめながら下外装部材２４をボトル本体１に装着しながら胴部カバー２１の縦向き係合部３４ｂに自身の係合穴２４ａを嵌め合わせるようにしている。
【００３８】
さらに、胴部カバー２１による取手３の支持強度を高めるために、図１、図２、図４、図７〜図１２に示すように胴部カバー２１の上下端部を、それらの間で把持位置に起立させた取手３の把持部３ｂを把持できるようにし、かつ胴部１ｅを外力から保護するのに必要な最小限の厚みとした減厚部２１２よりも厚みが大きく強度を高めた増厚部２１１とし、これに対応する幅を持ち、図９に示すような平面より見てコの字状などのパターンを持って周方向に配設したリブ３４ｃによって補強されて十分な強度を持った前記横向き係合部３４ａと、前記増厚部２１１との間に、図７に示すようにそれらに近い厚み、太さとした十分な強度の両脚部３ａを、図２、図５、図６に示すように前記連結部７３近傍部にまでに嵌め合せて、それら横向き係合部３４ａと前記増厚部２１１とに亘って図２、図６、図７に示すように通した前記ピン７１により枢支して、十分な支持強度が得られるようにしている。
【００３９】
ピン７１は胴部カバー２１に設けた図６、図７に示すようなリブ８１により胴部カバー２１側の端部７１ａを受け止め、胴部カバー２１に取手３をピン７１で支持して、それらを一体の部品として取り扱える取手ユニット８２を構成するようにしている。これによって、この取手ユニット８２を胴部１ｅに当てがっておいて、上下から上下外装部材２３、２４をボトル本体１に嵌め合わせる際に、取手ユニット８２における胴部カバー２１の係合部３４と軸線方向に嵌め合わせることにより組み立てができる。このとき、ピン７１の上下外装部材２３、２４側の端部７１ｂは、上下外装部材２３、２４側に設けたリブ８３、８４に当てがって抜け止めするようにしてある。
【００４０】
また、取手３はピン７１を中心に格納位置と把持位置との間で起伏できるが、吊り持ち時などに不用意に把持位置側に起きると携行の邪魔になるし、他と引っ掛かって損傷することにもなる。そこで、図２、図３、図５、図６、図８、図１１に示すように取手３と胴部カバー２１の上下の連結部７３の少なくとも一方、本例では上部の連結部７３との間に取手３を格納位置に安定させる係止手段１８２を設けている。係止手段１８２は例えば、図８、図９、図１１に示すように連結部７３に設けた一対のスリット７３ａなどによって形成した樹脂ばね７３ｂの先端部７３ｃと、取手３の枢支部まわりに一体形成した係合突起３ｃとが図５（ｂ）（ｃ）に示すように弾性係合して取手３を格納位置に係止するようにしている。さらに詳細に説明すると、係合突起３ｃは取手３が把持位置から格納位置に伏倒していくほぼ最終時期から図５（ｃ）に示す矢印の方向に樹脂ばね７３ｂの先端部７３ｃを樹脂ばね７３ｂの弾性変形を伴い押し退けながら先端部７３ｃの上に乗っていき、取手３が格納位置の寸前になったときに係合突起３ｃは先端部７３ｃの上に軽いクリック感を持って乗り切り、それまで押し退けられていた先端部７３ｃがフリーとなって樹脂ばね７３ｂが復元するときの先端部７３ｃの復帰によって係合突起３ｃを介し取手３を格納位置まで弾性的に押し付けその位置に弾性係止するようになっている。従って、取手３は格納位置に安定し、がたつくこともない。格納位置にある取手３を把持位置へ起こすときは前記とは逆に、係合突起３ｃは樹脂ばね７３ｂの先端部７３ｃを樹脂ばね７３ｂの弾性変形を伴い押し退けながら先端部７３ｃから軽いクリック感を持って外れた後、把持位置までフリーな状態で回動できる。
【００４１】
一方、取手３を支持していない胴部カバー２２は、取手３を支持した胴部カバー２１が取手３を把持してボトル本体１を取り扱う場合のような負荷を受けない。そこで、上下外装部材２３、２４との係合部３５は、図３、図４に示すように胴部カバー２２の周方向のほぼ全域に亘る平面より見た単なる円弧状の板部とし、上外装部材２３とボトル本体１との間の隙間、下外装部材２４とボトル本体１との間の隙間、またはおよび図４に下外装部材２４で代表して示すような溝９１に嵌め合せて支持している。また、胴部カバー２２は胴部カバー２１に比し厚みが小さいが、図５（ｂ）に示すような波型の横断面を持つような形状として、変形剛性を高め、ボトル本体１の胴部外面から浮かせることでボトル本体１を外力から十分に保護できるようにしている。
【００４２】
さらに、胴部カバー２１、２２は共に、図１〜図４、図６、図７に示すように上下外装部材２３、２４の周方向での膨らみ部２３ｃ、２４ｃによる膨らみを伴い、ボトル本体１の外面から最も飛び出すように形成し、かつ支持してある。これにより、ボトル本体１の胴部に外力が働くとき、胴部カバー２１、２２が最優先してそれを受け止めるように働き、ボトル本体１を外力から保護することができる。
【産業上の利用可能性】
【００４３】
本発明は、起伏する取手を持った携帯用のステンレスボトルに実用でき、取手を支持する樹脂製の胴部カバーを有効利用して、耐久性、お手入れ性、低コスト性に優れたものとなる。
【図面の簡単な説明】
【００４４】
【図１】本発明の実施の形態に係るステンレスボトルを示す側面図である。
【図２】図１のボトルの正面図である。
【図３】図１のボトルの背面図である。
【図４】図１のボトルの断面図である。
【図５】図１のボトルの平面図および横断面図と、一部の拡大断面図である。
【図６】図１のボトルの取手支持状態を示す半部を断面して見た正面図である。
【図７】図６の取手支持部を別の角度で見た一部断面図である。
【図８】図１のボトルの取手とそれを支持する胴部カバーとの関係を示す正面図である。
【図９】図８の胴部カバーの背面図と上面図および下面図である。
【図１０】図８の胴部カバーの中央縦断面図である。
【図１１】図８の胴部カバーの取手との関係を別の角度から見た断面図である。
【図１２】図８の胴部カバーの端部および中央部の横断面図である。
【図１３】吊紐の連結具と連結部との関係を示す正面図である。
【符号の説明】
【００４５】
１  ボトル本体
１ａ  外壁
１ｂ  内壁
１ｃ  真空断熱空間
１ｄ  底部
１ｅ  胴部
１ｆ  肩部
１ｇ  口部
２  樹脂カバー
３  取手
３ａ  脚部
３ｂ  把持部
３ｃ  係合突起
２１、２２  胴部カバー
２３  上外装部材
２４  下外装部材
２３ａ、２４ａ  係合穴
２５  栓
２７  キャップ
３４、３５  係合部
６１  連結部
７１  ピン
７２  ギャップ
７３  連結部
【図１】
2005192593.tif 000003
【図２】
2005192593.tif 000004
【図３】
2005192593.tif 000005
【図４】
2005192593.tif 000006
【図５】
2005192593.tif 000007
【図６】
2005192593.tif 000008
【図７】
2005192593.tif 000009
【図８】
2005192593.tif 000010
【図９】
2005192593.tif 000011
【図１０】
2005192593.tif 000012
【図１１】
2005192593.tif 000013
【図１２】
2005192593.tif 000014
【図１３】
2005192593.tif 000015